(57)【要約】      （修正有）【課題】管理を容易に行うことができる医療器具を提供する。【解決手段】医療器具２０は、第１の樹脂材料から形成された樹脂部材を有する医療器具本体２２と、樹脂部材に設けられかつ第２の樹脂材料から形成され、医療器具本体の所定の情報が関連付けられた識別標識３０と、を備えている。識別標識は、コネクタ２３Ｄに設けられている。第２の樹脂材料は、第１の樹脂材料とは異なる材料である。第２の樹脂材料としては、アクリル系樹脂が挙げられる。識別標識としては、二次元コードやＧＳ１コード体系（例えば２６桁の番号）等が挙げられる。識別標識には、医療器具本体に関する所定の情報、例えば、医療器具本体の使用回数の上限値、医療器具本体の使用回数、医療器具本体を使用した日時、医療器具本体を使用した作業者名等が挙げられる。識別標識は、コネクタの平面に箔転写によって形成されている。【選択図】図３
2019154700.tif 000002
【特許請求の範囲】
【請求項１】
第１の樹脂材料から形成された樹脂部材を有する医療器具本体と、
前記樹脂部材に設けられかつ第２の樹脂材料から形成され、前記医療器具本体の所定の情報が関連付けられた識別標識と、を備えている、医療器具。
【請求項２】
前記医療器具本体を洗浄する洗浄工程を含む所定の循環サイクルにおいて用いられる、請求項１に記載の医療器具。
【請求項３】
前記所定の循環サイクルは、前記医療器具本体に対して滅菌処理を行う滅菌工程をさらに含み、
前記滅菌工程では、滅菌処理が行われると少なくとも一部の色が変化する滅菌テープが用いられ、
前記樹脂部材は、前記滅菌テープである、請求項２に記載の医療器具。
【請求項４】
前記所定の循環サイクルは、前記医療器具本体を用いて手術を行う手術工程と、手術後の前記医療器具本体を回収する回収工程と、洗浄後の前記医療器具本体を組み立てる組立工程と、滅菌処理後の前記医療器具本体を保管する保管工程とをさらに含み、
前記洗浄工程において、回収後の前記医療器具本体を洗浄し、
前記滅菌工程において、組立後の前記医療器具本体に対して滅菌処理を行う、請求項３に記載の医療器具。
【請求項５】
前記医療器具本体は、前記滅菌テープが設けられた曲面を有する、請求項３または４に記載の医療器具。
【請求項６】
前記医療器具本体は、患者に接触する第１部分と、患者に接触しない第２部分とを備え、
前記識別標識は、前記第２部分に設けられている、請求項１から５のいずれか一項に記載の医療器具。
【請求項７】
前記第２の樹脂材料は、アクリル系樹脂である、請求項１から６のいずれか一項に記載の医療器具。
【請求項８】
前記所定の情報は、前記医療器具本体の使用回数の上限値を含む、請求項１から７のいずれか一項に記載の医療器具。
【請求項９】
請求項１から８のいずれか一項に記載の医療器具と、
前記識別標識から前記所定の情報を取得する情報取得装置と、
前記情報取得装置において取得された前記所定の情報を管理する管理端末と、を備えている、医療器具管理システム。
【請求項１０】
第１の樹脂材料から形成された樹脂部材を有する医療器具本体を準備する工程と、
前記樹脂部材に、第２の樹脂材料から形成され、前記医療器具本体の所定の情報が関連付けられた識別標識を箔転写する工程と、を含む、医療器具の製造方法。
【請求項１１】
前記樹脂部材は、滅菌処理が行われると少なくとも一部の色が変化する滅菌テープである、請求項１０に記載の医療器具の製造方法。
【請求項１２】
医療器具本体を準備する工程と、
滅菌処理が行われると少なくとも一部の色が変化する滅菌テープを準備する工程と、
前記滅菌テープに、樹脂材料から形成され、前記医療器具本体の所定の情報が関連付けられた識別標識を箔転写する工程と、
前記識別標識が箔転写された前記滅菌テープを、前記医療器具に張り付ける工程と、を含む、医療器具の製造方法。
【請求項１３】
前記医療器具本体は、前記医療器具本体を用いて手術を行う手術工程と、手術後の前記医療器具本体を回収する回収工程と、回収後の前記医療器具本体を洗浄する洗浄工程と、洗浄後の前記医療器具本体を組み立てる組立工程と、組立後の前記医療器具本体に対して滅菌処理を行う滅菌処理工程と、滅菌処理後の前記医療器具本体を保管する保管工程とを含む所定の循環サイクルにおいて用いられる、請求項１０から１２のいずれか一項に記載の医療器具の製造方法。
【発明の詳細な説明】
【技術分野】
【０００１】
本発明は、医療器具、医療器具管理システムおよび医療器具の製造方法に関する。
【背景技術】
【０００２】
従来から、手術用器具等の医療器具の在庫管理や、医療器具の使用回数の管理等を行う管理システムが用いられている。例えば特許文献１には、再使用可能な手術用器具の在庫管理を行う管理システムが開示されている。この管理システムでは、再使用可能な手術用器具に識別標識を付与し、当該識別標識に基づいてデータベースを作成する。そして、それらの手術用器具の使用回数がカウントされ、使用回数が上限値を超えた手術用器具は破棄されたり補充されたりする。
【先行技術文献】
【特許文献】
【０００３】
【特許文献１】特開２００５−２３７５８６号公報
【発明の概要】
【発明が解決しようとする課題】
【０００４】
ところで、特許文献１に記載されたメスや鉗子のように金属材料から形成された医療器具に対しては、レーザーによって識別標識を刻印することができる。しかしながら、医療現場では、種々の材料から形成された医療器具が用いられている。例えば、医療器具には、医療器具の大部分が樹脂材料から形成されているものや、金属材料から形成されているが刻印するのに適した面を有しないもの等が存在する。このような場合には、レーザーによって識別標識を刻印することができず、メスや鉗子の場合と同じように在庫管理等をすることができなかった。
【０００５】
本発明はかかる点に鑑みてなされたものであり、その目的は、医療器具の管理を容易に行うことができる医療器具を提供することである。
【課題を解決するための手段】
【０００６】
本発明者は、レーザーによって識別標識を刻印することができない医療器具であっても、樹脂部材を有する医療器具本体に関しては、レーザー刻印とは別の方法で識別標識を設けることができることを発見した。
【０００７】
本発明に係る医療器具は、第１の樹脂材料から形成された樹脂部材を有する医療器具本体と、前記樹脂部材に設けられかつ第２の樹脂材料から形成され、前記医療器具本体の所定の情報が関連付けられた識別標識と、を備えている。
【０００８】
本発明に係る医療器具によれば、医療器具本体の樹脂部材には、第２の樹脂部材から形成された識別標識が設けられている。このように、本発明者は、第１の樹脂材料から形成された樹脂部材には、第２の樹脂材料から形成された識別標識を設けることができることを見出した。これにより、レーザーによって識別標識を刻印することができない医療器具であっても、第２の樹脂材料から形成された識別標識を医療器具本体の樹脂部材に設けることによって、医療器具の管理を行うことができる。
【０００９】
また、本発明者は、医療器具本体が洗浄工程において頻繁に洗浄される、即ち識別標識がブラシ等によって擦られたり、識別標識に洗剤等が付着したりする場合であっても、識別標識がほとんど劣化しないことを発見した。これにより、洗浄工程を経る必要がある医療器具であっても、第２の樹脂材料から形成された識別標識を医療器具本体の樹脂部材に設けることによって、医療器具の管理を行うことができることを見出した。
【００１０】
さらに、本発明者は、滅菌工程において用いられる滅菌テープに第２の樹脂材料から形成された識別標識を設けることができることを発見した。さらに、滅菌工程を経ても識別標識がほとんど劣化しないことを発見した。これにより、滅菌工程を経る必要がある医療器具であっても、第２の樹脂材料から形成された識別標識を医療器具本体の滅菌テープに設けることによって、医療器具の管理を行うことができることを見出した。
【発明の効果】
【００１１】
本発明によれば、医療器具の管理を容易に行うことができる医療器具を提供することができる。
【図面の簡単な説明】
【００１２】
【図１】一実施形態に係る医療器具管理システムを示す概略図である。
【図２】一実施形態に係る医療器具が用いられる循環サイクルの説明図である。
【図３】医療器具の一例を示す模式図である。
【図４】医療器具の他の一例を示す模式図である。
【図５】医療器具の他の一例を示す模式図である。
【発明を実施するための形態】
【００１３】
以下、図面を参照しながら、一実施形態に係る医療器具管理システムについて説明する。医療器具管理システムは、医療器具の情報（例えば医療器具本体の情報）を管理する。図１に示すように、医療器具管理システム１０は、複数の医療器具２０と、情報取得装置５０と、管理端末６０とを備えている。管理端末６０と情報取得装置５０とは、有線により通信可能に接続されている。なお、管理端末６０と情報取得装置５０とは、無線により通信可能に接続されていてもよい。管理端末６０は、情報取得装置５０において取得された後述する医療器具本体２２の所定の情報を管理する。管理端末６０としては、例えば、ノート型のパーソナルコンピュータ、タブレット端末およびスマートフォン等が挙げられる。
【００１４】
医療器具本体２２としては、例えば、手術用器具、病棟用器具、外来用器具等が挙げられる。手術用器具としては、例えば、鉗子、剪刃、メス（例えばレーザーメスや電気メス）、超音波カッター、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、穿孔器、スポイト、金属綿棒、浣腸器、シリンジおよび内視鏡等が挙げられる。病棟器具としては、例えば、鑷子、聴診器、剪刃、カニューラ、ジャバラおよび膿盆等が挙げられる。外来器具としては、例えば、鑷子、聴診器、ペアン、モスキート、鉗子等があげられる。なお、上記例は、医療器具本体２２の一部を列挙したに過ぎず、医療器具本体２２は上記例に限定されない。また、上述したように、医療器具本体２２には、例えば、鑷子のように、手術用器具、病棟用器具および外来用器具として用いられるものもある。
【００１５】
ここで、医療器具本体２２のうち手術用器具については、図２に示すような所定の循環サイクル９０において用いられる。図２に示すように、循環サイクル９０は、手術工程９１と、回収工程９２と、洗浄工程９３と、組立工程９４と、滅菌工程９５と、保管工程９６とから構成されている。循環サイクル９０では、手術工程９１、回収工程９２、洗浄工程９３、組立工程９４、滅菌工程９５、保管工程９６、手術工程９１の順に医療器具本体２２（即ち医療器具２０）が循環する。ここで、循環サイクル９０では、典型的には、複数の医療器具２０から構成された医療器具セットが循環する。手術工程９１では、保管された医療器具セットの医療器具２０（即ち医療器具本体２２）を用いて患者の手術を行う。回収工程９２では、手術で用いた医療器具２０（即ち医療器具本体２２）を回収する。洗浄工程９３では、回収された医療器具２０（即ち医療器具本体２２）を洗浄する。組立工程９４では、洗浄された医療器具２０（即ち医療器具本体２２）を組み立てる。組立工程９４では、洗浄工程９３においてバラバラに洗浄された各医療器具２０（即ち医療器具本体２２）を所定の医療器具セットに戻す。滅菌工程９５では、組み立てられた医療器具２０（即ち医療器具本体２２）を滅菌する。保管工程９６では、滅菌された医療器具２０（即ち医療器具本体２２）を所定の保管スペースに保管する。
【００１６】
図３に示すように、医療器具２０は、医療器具本体２２と、識別標識３０とを備えている。なお、図３に示す医療器具２０は、電気メスである。医療器具本体２２は、本体部２３Ａと、プローブ２３Ｂと、ケーブル２３Ｃと、コネクタ２３Ｄと、外部接続端子２３Ｅとを備えている。本体部２３Ａは、ペンシル型に形成されている。本体部２３Ａは、細長円筒状に形成されている。本体部２３Ａは、医師によって把持される部分である。本体部２３Ａは、第１の樹脂材料から形成されている。第１の樹脂材料としては、例えば、ポリエチレンテレフタレート（ＰＥＴ）樹脂、ポリエチレンナフタレート（ＰＥＮ）樹脂等のポリエステル系樹脂、ポリエチレン（ＰＥ）、ポリプロピレン（ＰＰ）、ポリ塩化ビニル（ＰＶＣ）、エチレン−プロピレン共重合体等のポリオレフィン系樹脂等が挙げられる。プローブ２３Ｂは、本体部２３Ａの先端に設けられている。プローブ２３Ｂは、金属材料から形成されている。プローブ２３Ｂは、例えば、ステンレス、チタン等から形成されている。ケーブル２３Ｃは、本体部２３Ａとコネクタ２３Ｄとを接続する。ケーブル２３Ｃは、電気ケーブルである。コネクタ２３Ｄは、第１の樹脂材料から形成されている。コネクタ２３Ｄを形成する樹脂材料と本体部２３Ａを形成する樹脂材料とは同じであってもよいし、異なっていてもよい。コネクタ２３Ｄは、樹脂部材の一例である。外部接続端子２３Ｅは、コネクタ２３Ｄに設けられている。
【００１７】
識別標識３０は、コネクタ２３Ｄに設けられている。識別標識３０は、第２の樹脂材料から形成されている。第２の樹脂材料は、典型的には、第１の樹脂材料とは異なる材料である。第２の樹脂材料としては、例えば、アクリル系樹脂が挙げられる。第２の樹脂材料は、上述した循環サイクル９０の洗浄工程９３において使用される洗剤やブラシ等の擦れによってほとんど劣化しない性質を有する。第２の樹脂材料は、循環サイクル９０の滅菌工程９５における滅菌処理を経てもほとんど劣化しない性質を有する。識別標識３０としては、例えば、二次元コードやＧＳ１コード体系（例えば２６桁の番号）等が挙げられる。識別標識３０には、医療器具本体２２に関する所定の情報が関連付けられている。所定の情報としては、例えば、医療器具本体２２の使用回数の上限値、医療器具本体２２の使用回数、医療器具本体２２を使用した日時、医療器具本体２２を使用した作業者名等が挙げられる。図３に示す例では、識別標識３０は、コネクタ２３Ｄの平面に箔転写によって形成されている。第１の樹脂材料から形成された部材に対して第２の樹脂材料から形成された箔（即ち識別標識）を転写する方法は、特に限定されず、従来公知の箔転写装置を用いて箔転写を行うことができる。なお、図３に示す例では、患者に接触する部分は、プローブ２３Ｂである。このため、識別標識３０は、患者に接触しないコネクタ２３Ｄに設けられている。ここで、患者に接触するとは、患者の体に接触する場合と、患者の血液が接触する場合とを含む。患者に接触しないとは、患者に全く接触しない場合と、患者に接触するときと比較して接触の頻度が極めて小さい場合とを含む。
【００１８】
図４に示すように、医療器具２０は、医療器具本体２２と、識別標識３０とを備えている。なお、図４に示す医療器具２０は、超音波カッターである。医療器具本体２２は、本体部２４Ａと、プローブ２４Ｂと、コネクタ２４Ｃと、外部接続端子２４Ｄとを備えている。本体部２４Ａは、ペンシル型に形成されている。本体部２４Ａは、細長円筒状に形成されている。本体部２４Ａは、医師によって把持される部分である。本体部２４Ａは、上述した第１の樹脂材料から形成されている。プローブ２４Ｂは、本体部２４Ａの先端に設けられている。プローブ２４Ｂは、ステンレス、チタン等の金属材料から形成されている。コネクタ２４Ｃは、第１の樹脂材料から形成されている。コネクタ２４Ｃは、本体部２４Ａの後端に設けられている。コネクタ２４Ｃは、円筒状に形成されている。外部接続端子２４Ｄは、コネクタ２４Ｃに設けられている。
【００１９】
ここで、本体部２４Ａおよびコネクタ２４Ｃは円筒状に形成されている。即ち、本体部２４Ａおよびコネクタ２４Ｃは、曲面（例えば湾曲面）を有し平面を有していない。このため、従来公知の箔転写装置を用いて第２の樹脂材料から形成された識別標識３０を直接箔転写することは困難である。そこで、まず、上記循環サイクル９０の滅菌工程９５において用いられる滅菌テープ２５を準備する。そして、準備した滅菌テープ２５に対して識別標識３０を箔転写する。その後、識別標識３０が箔転写された滅菌テープ２５を本体部２４Ａの曲面に張り付ける。このように、医療器具本体２２が平面を有さない形状であっても、滅菌テープ２５を用いることによって、箔転写による識別標識３０を医療器具本体２２に設けることができる。なお、図４に示す例では、患者に接触する部分は、プローブ２４Ｂである。このため、識別標識３０は、患者に接触しない本体部２４Ａの後端に設けられている。
【００２０】
なお、滅菌テープ２５は、滅菌工程９５において滅菌処理が行われると少なくとも一部の色が変化するテープである。滅菌テープ２５は、滅菌処理によってもほとんど劣化しない性質を有する。滅菌処理としては、例えば、酸化エチレンガスによるガス滅菌や、プラズマ滅菌、オートクレーブを用いた加熱滅菌等が挙げられる。滅菌テープ２５は、他の部材と接着する接着層と、第１の樹脂材料から形成された樹脂層とを有している。滅菌テープ２５は、樹脂部材の一例である。滅菌テープ２５は、第１の樹脂材料から形成された樹脂層を有する限り、医療分野の滅菌工程において使用されるものを特に限定なく使用することができる。
【００２１】
図５に示すように、医療器具２０は、医療器具本体２２と、識別標識３０とを備えている。なお、図５に示す医療器具２０は、鉗子である。医療器具本体２２は、一対の鉗子片２５Ａ、２５Ｂと、ピン２５Ｃとを備えている。一対の鉗子片２５Ａ、２５Ｂは、ステンレス、チタン等の金属材料から形成されている。一対の鉗子片２５Ａ、２５Ｂは、ピン２５Ｃに回動自在に支持されている。
【００２２】
ここで、一対の鉗子片２５Ａ、２５Ｂは、平面を有するが金属材料から形成されている。このため、従来公知の箔転写装置を用いて第２の樹脂材料から形成された識別標識３０を直接箔転写することは困難である。そこで、まず、滅菌テープ２５を準備する。そして、準備した滅菌テープ２５に対して識別標識３０を箔転写する。その後、識別標識３０が箔転写された滅菌テープ２５を例えば鉗子片２５Ａの平面に張り付ける。このように、医療器具本体２２が金属材料から形成されていても、滅菌テープ２５を用いることによって、箔転写による識別標識３０を医療器具本体２２に設けることができる。なお、上述した例では、滅菌テープ２５に対して識別標識３０を箔転写した後、滅菌テープ２５を鉗子片２５Ａに貼りつけていたが、これに限定されない。たとえば、滅菌テープ２５を鉗子片２５Ａの平面に貼りつけた後に、識別標識３０を滅菌テープ２５に対して箔転写してもよい。なお、図５に示す例では、患者に接触する部分は、一対の鉗子片２５Ａ、２５Ｂの刃部２５Ｘである。このため、識別標識３０は、患者に接触しない把持部２５Ｙに設けられている。把持部２５Ｙは、医師によって把持される部分であり、一対の鉗子片２５Ａ、２５Ｂのうち刃部２５Ｘの反対側に設けられている。
【００２３】
情報取得装置５０は、医療器具２０の識別標識３０から医療器具本体２２の上述した所定の情報を取得する。情報取得装置５０は、識別標識３０から取得した医療器具本体２２の所定の情報を管理端末６０に送信する。情報取得装置５０は、識別標識３０から医療器具本体２２の所定の情報を取得することができれば特に限定されない。例えば、識別標識３０が二次元コードの場合には、情報取得装置５０としては、二次元コードを読み取ることができる二次元コードリーダが挙げられる。情報取得装置５０を用いて識別標識３０から医療器具本体２２の所定の情報を取得する行為は、例えば上述した循環サイクル９０の１つ以上の工程において行われる。
【００２４】
図１に示すように、管理端末６０は、記憶部６２と、計数部６４と、判定部６６と、通知部６８とを備えている。これら各部は、ソフトウェアによって構成されていてもよい。すなわち、上記各部は、コンピュータプログラムが管理端末６０（コンピュータ）に読み込まれることにより、当該管理端末６０によって実現されるようになっていてもよい。当該コンピュータプログラムは、ＣＤやＤＶＤ等のコンピュータ読み取り可能な記録媒体に含まれ得る。当該コンピュータプログラムは、インターネットを通じてダウンロードされるものであってもよい。また、上記各部は、管理端末６０に構成されたプロセッサおよび／または回路によって実現されるものであってもよい。
【００２５】
記憶部６２は、情報取得装置５０において取得された各医療器具本体２２の所定の情報を記憶する。記憶部６２は、医療器具本体２２の使用回数等を記憶する。
【００２６】
計数部６４は、各医療器具本体２２の使用回数を計数する。
【００２７】
判定部６６は、各医療器具本体２２の使用回数が所定の上限値に到達したか否かを判定する。
【００２８】
通知部６８は、判定部６６によって医療器具本体２２の使用回数が所定の上限値に到達した場合に、作業者に医療器具本体２２の交換または廃棄を通知する。なお、通知方法は特に限定されず、例えば、視覚的な表示、音声等による通知が挙げられる。本実施形態では、表示装置（図示せず）を通じて視覚的に作業者に対する通知を行う。
【００２９】
以上のように、本実施形態の医療器具２０によると、医療器具本体２２のコネクタ２３Ｄには、第２の樹脂材料から形成された識別標識３０が設けられている。このように、本発明者は、第１の樹脂材料から形成されたコネクタ２３Ｄには、第２の樹脂材料から形成された識別標識３０を設けることができることを見出した。これにより、レーザーによって識別標識３０を刻印することができない医療器具２０であっても、第２の樹脂材料から形成された識別標識３０を医療器具本体２２のコネクタ２３Ｄに設けることによって、医療器具２０の管理を行うことができる。
【００３０】
本実施形態の医療器具２０は、医療器具本体２２を洗浄する洗浄工程９３を含む所定の循環サイクル９０において用いられる。本発明者は、洗浄工程９３において医療器具本体２２が洗浄されても識別標識３０がほとんど劣化しないことを発見し、洗浄工程９３を経る必要がある医療器具本体２２の樹脂部材に識別標識３０を用いても医療器具２０を問題なく管理することができることを確認できた。
【００３１】
本実施形態の医療器具２０によると、医療器具本体２２は滅菌テープ２５を有し、該滅菌テープ２５には、第２の樹脂材料から形成された識別標識３０が設けられている。本発明者は、滅菌テープ２５に識別標識３０を設けた場合であっても、洗浄工程９３や滅菌工程９５において識別標識３０がほとんど劣化しないことを発見し、洗浄工程９３および滅菌工程９５を経る必要がある医療器具本体２２の滅菌テープ２５に識別標識３０を用いても医療器具２０を問題なく管理することができることを確認できた。
【００３２】
本実施形態の医療器具２０は、手術工程９１と、回収工程９２と、洗浄工程９３と、組立工程９４と、滅菌工程９５と、保管工程９６とを含む所定の循環サイクル９０において用いられる。上記各工程９１〜９６では、医療器具２０の管理が特に重要であるため、識別標識３０によって容易に管理することによって作業者の負担を軽減することができる。
【００３３】
本実施形態の医療器具２０によると、医療器具本体２２は、滅菌テープ２５が設けられた曲面を有する。仮に医療器具本体２２が金属材料から形成されている場合であっても、通常、曲面にはレーザーによって刻印することができない。しかし、滅菌テープ２５に予め識別標識３０を設け、該滅菌テープ２５を曲面に例えば貼りつけることによって、曲面であっても識別標識３０を設けることができる。
【００３４】
本実施形態の医療器具２０によると、医療器具本体２２は、患者に接触するプローブ２３Ｂと、患者に接触しないコネクタ２３Ｄとを備え、識別標識３０は、コネクタ２３Ｄに設けられている。識別標識３０は、患者に接触しないコネクタ２３Ｄに設けられているため、プローブ２３Ｂに設けられている場合と比較して識別標識３０の劣化を抑制することができる。
【００３５】
本実施形態の医療器具２０によると、識別標識３０を形成する第２の樹脂材料は、アクリル系樹脂である。本発明者は、識別標識３０をアクリル系樹脂で形成することによって、識別標識３０を長期間に亘って使用することができることを見出した。
【００３６】
本実施形態の医療器具２０によると、識別標識３０に関連付けられた所定の情報は、医療器具本体２２の使用回数の上限値を含む。これにより、医療器具２０の交換または廃棄時期を正確に認識することができる。
【００３７】
以上、本発明の好適な実施形態について説明した。しかし、上述の各実施形態は例示に過ぎず、本発明は他の種々の形態で実施することができる。
【００３８】
上述した実施形態では、識別標識３０は患者に接触しない部分に設けられていた。ここで、患者に接触しない部分であっても、例えば、医療器具本体２２が２以上の部品を組み合わせて用いられる場合には、識別標識３０は、部品同士の接合部分や、外部から視認できない部分には設けない。
【符号の説明】
【００３９】
１０  医療器具管理システム
２０  医療器具
２２  医療器具本体
２５  滅菌テープ
３０  識別標識
５０  情報取得装置
６０  管理端末
９０  循環サイクル
９３  洗浄工程
９５  滅菌工程
【図１】
2019154700.tif 000003
【図２】
2019154700.tif 000004
【図３】
2019154700.tif 000005
【図４】
2019154700.tif 000006
【図５】
2019154700.tif 000007